(57)【特許請求の範囲】
【請求項１】
第１電極系を構成する２本の並列配置の導電体の糸材と、第２電極系を構成する２本の並列配置の導電体の糸材と、天然繊維又は合成繊維からなる絶縁体の糸材とを、前記第１電極系の糸材、前記第２電極系の糸材間に絶縁体の糸材が配置され、かつ、前記第１電極系の２本の糸材、前記第２電極系の２本の糸材の外面に、各々絶縁体の糸材により覆われる部分と覆われない部分とが交互に形成されるように組紐状で円筒状を呈する形状に織り上げた構造を有することを特徴とする長尺スイッチ。
【請求項２】
前記各導電体の糸材の径を、前記絶縁体の糸材の径よりも太くしたことを特徴とする請求項１記載の長尺スイッチ。
【発明の詳細な説明】
【技術分野】
【０００１】
本発明は、長尺スイッチに関し、詳しくは組紐状の構造を有する斬新な長尺スイッチに関するものである。
【背景技術】
【０００２】
従来、例えば電車車両の扉スイッチ等として使用される長尺スイッチとして、種々の構造のものが提案されている。
【０００３】
例えば、図５に示すように、長尺の絶縁材３１を挟むようにして長尺の金属電極板３２、３３を対向配置に接合し、これらの外周を長尺の絶縁材からなる外被３４で被覆した構造のもの、図６に示すように、長尺の導電ゴム４１の両側に一対の長尺の導電体４２、４３を対向配置に接合し、これらを長尺の絶縁材からなる外被４４で被覆した構造のものが知られている。
【０００４】
更に、図７に示すように、導電性を有する糸と、絶縁性を有する糸とを用いて導体部５１と絶縁部５２とが長さ方向に沿って交互に存在するように平織りして２枚の長尺の布５０、５０を織り上げ、これら布５０、５０を重ね合わせてその長さ方向両縁部を縫合部５４にて縫合するとともに、２枚の布５０、５０の間に間隔保持用の保持繊維５３を長さ方向に沿って縫い込んだ構造の平織りスイッチも知られている。
【０００５】
上述した図５に示す長尺の絶縁材３１を挟むようにして長尺の金属電極板３２、３３を対向配置に構成したものや、図６に示す長尺の導電ゴム４１の両側に一対の長尺の導電体４２、４３を対向配置した構成のもの、更には図１２に示す平織りスイッチの構成では、これらを廃棄する際に導体部分と絶縁体部分との分離が煩雑である。更に、図７に示す平織りスイッチの構成では、２枚の布５０、５０の織り上げ、縫合、保持繊維５３の縫い込みというように製造工程が複雑化するという問題が有る。
【０００６】
特許文献１には、長尺の一対の金属電極板を対向配置し、これら金属電極板の長さ方向の両縁部間に長さ方向に沿って長尺の絶縁材を介在させ、これらを絶縁材からなる外被で被覆した構成の長尺スイッチが提案されている。
【０００７】
しかし、この特許文献１の長尺スイッチの場合にも、廃棄時に多くの手間、費用を要するという問題を包含している。
【特許文献１】特開２００１−０７６５８０号公報
【発明の開示】
【発明が解決しようとする課題】
【０００８】
解決しようとする問題点は、製造が簡略であり、廃棄する際においても環境負荷物質を生成することがなく、また、リサイクルも容易に実現できるという長尺スイッチが存在しない点である。
【課題を解決するための手段】
【０００９】
本発明の長尺スイッチは、第１電極系を構成する２本の並列配置の導電体の糸材と、第２電極系を構成する２本の並列配置の導電体の糸材と、天然繊維又は合成繊維からなる絶縁体の糸材とを、前記第１電極系の糸材、前記第２電極系の糸材間に絶縁体の糸材が配置され、かつ、前記第１電極系の２本の糸材、前記第２電極系の２本の糸材の外面に、各々絶縁体の糸材により覆われる部分と覆われない部分とが交互に形成されるように組紐状で円筒状を呈する形状に織り上げた構造をを有することを最も主要な特徴とする。
【発明の効果】
【００１０】
本発明によれば、以下の効果を奏する。
請求項１記載の発明によれば、第１電極系を構成する２本の並列配置の導電体の糸材と、第２電極系を構成する２本の並列配置の導電体の糸材と、天然繊維又は合成繊維からなる絶縁体の糸材とを、前記第１電極系の糸材、前記第２電極系の糸材間に絶縁体の糸材が配置され、かつ、前記第１電極系の２本の糸材、前記第２電極系の２本の糸材の外面に、各々絶縁体の糸材により覆われる部分と覆われない部分とが交互に形成されるように組紐状で円筒状を呈する形状に織り上げた構造を有するものであるから、公知の製紐機を用いて簡略に製造できる長尺スイッチを提供することができる。
【００１１】
請求項２記載の発明によれば、請求項１記載の発明における各導電体の糸材の径を、絶縁体の糸材の径よりも太くしているので、請求項１記載の発明において、第１電極系の導電体の糸材、第２電極系の導電体の糸材間のオン動作をし易くし、スイッチ感度を高めることができる。
【発明を実施するための最良の形態】
【００１２】
本発明は、製造が簡略であり、廃棄する際においても環境負荷物質を生成することがなく、またリサイクルも容易な長尺スイッチを提供するという発明の目的を、第１電極系を構成する２本の並列配置の導電体の糸材と、第２電極系を構成する２本の並列配置の導電体の糸材と、天然繊維又は合成繊維からなる絶縁体の糸材とを、前記第１電極系の糸材、前記第２電極系の糸材間に絶縁体の糸材が配置され、かつ、前記第１電極系の２本の糸材、前記第２電極系の２本の糸材の外面に、各々絶縁体の糸材により覆われる部分と覆われない部分とが交互に形成されるように組紐状で円筒状を呈する形状に織り上げた構造を有する構成により実現した。
【実施例】
【００１３】
以下に、本発明の実施例を詳細に説明する。
図１、図２に示す本発明の実施例に係る長尺スイッチ１は、円筒状を呈する形状に形成され、この長尺スイッチ１に接続した一対の導線２１、２２をスイッチ信号処理部２０に接続して、前記長尺スイッチ１のオン、オフ動作に伴い直流回路用のスイッチ信号処理部２０により例えば図示しない警報部（ブザー等）を動作又は不動作させるように構成している。
【００１４】
前記長尺スイッチ１は、図２に展開状態で示すように、例えば銅線のような導電体からなり、第１電極系を構成する２本の並列配置の糸材３ａ、３ｂからなる糸材３と、同じく銅線のような導電体からなり、第１電極系を構成する２本の並列配置の糸材３ａ、３ｂからなる糸材３と、木綿糸、麻糸等のような天然繊維からなる絶縁体の糸材４とが長さ方向、周方向各々に交互に配置される組紐状で、かつ、円筒状の織り上げ構造を有している。
すなわち、前記長尺スイッチ１は、図１に示す形状から明らかなように、前記第１電極系の糸材３、前記第２電極系の糸材３間に絶縁体の糸材４が配置され、かつ、前記第１電極系の２本の糸３ａ、３ｂ材、前記第２電極系の２本の糸材３ａ、３ｂの外面に、各々絶縁体の糸材４により覆われる部分と覆われない部分とが交互に形成されるように組紐状で円筒状を呈する形状に織り上げた構造を有している。
この長尺スイッチ１は、公知の製紐機を使用して導電体の各糸材３と、絶縁体の糸材４とを組紐状に織り上げることで形成している。
【００１５】
なお、図１、図２においては、２本の並列配置の糸材３ａ、３ｂからなる糸材３の部分を、導電体系を示す黒塗りで表し、絶縁体の糸材４の部分を、絶縁体系を示す紙面の色（白色）で表している。
【００１６】
また、長尺スイッチ１は、２本の並列配置の糸材３ａ、３ｂからなる導電体系である糸材３の領域全体を、図１、図２に示すように、相互に接触しないような第１電極系であるプラス（＋）電極系と第２電極系であるマイナス（−）電極系とに分割した構成としている。
【００１７】
すなわち、図１に示すように、長尺スイッチ１の外側から外部負荷３０が作用するとき、円筒状に織り上げた長尺スイッチ１におけるプラス（＋）電極系とマイナス（−）電極系とが外部負荷３０による変形によって接触しオン状態となり、外部負荷３０が作用しないときには長尺スイッチ１自体の上述した組紐状で円筒状の構造によりプラス（＋）電極系とマイナス（−）電極系とが接触しない状態、すなわち、オフ状態となるように構成している。
さらに、長尺スイッチ１の外側から外部負荷３０が作用した後、その外部負荷３０が無くなったときには、円筒状の構造の長尺スイッチ１自体の前記各糸材３、絶縁体の糸材４を用いた組紐状で円筒状の構造により、特に銅線のような導電体からなる前記各糸材３の
外力除去に伴う変形の復元作用が生じてプラス（＋）電極系とマイナス（−）電極系とが接触しない状態、すなわち、オフ状態となるものである。
【００１８】
また、前記長尺スイッチ１の一部（例えば端部）からプラス（＋）電極系、マイナス（−）電極系を構成する２本の並列配置の糸材３ａ、３ｂを導出させ、これらに電極端子５を取り付けて、前記一対の導線２１、２２を各々接続し、さらに、この一対の導線２１、２２をスイッチ信号処理部２０に接続するように構成している。
【００１９】
上述した構成の本実施例１に係る長尺スイッチ１によれば、導電体の糸材３と、天然繊維からなる絶縁体の糸材４とが長さ方向、周方向各々に交互に配置される組紐状の織り上げ構造からなり、前記導電体の糸材３をプラス電極、マイナス電極に分割した構成からなるものであるから、公知の製紐機を用いて少ない工程で簡略にこの長尺スイッチ１を製造することができる。
【００２０】
また、この長尺スイッチ１を廃棄する際においても、天然繊維からなる絶縁体の糸材４及び糸材１２を焼却するだけで容易に導電体の糸材３を取り出すことができ、焼却時にゴム材焼却時のような有害物質が生成することがなく、これにより環境汚染の回避とリサイクルの容易化を図ることができる。
【００２１】
次に、図３を参照して、本実施例における長尺スイッチ１の変形例について説明する。
【００２２】
図３は変形例の長尺スイッチ１Ａの断面構造を示すものであり、この長尺スイッチ１Ａは、既述した長尺スイッチ１と同様、公知の製紐機を使用して組紐状に織り上げるものである。
すなわち、第１電極系、第２電極系を構成する銅線のような導電体の糸材３ｃと、天然繊維又は合成繊維からなる絶縁体の糸材３ｄと使用し、組紐状（導電体糸数２、１６打ち）に織り上げることで形成している。
【００２３】
この長尺スイッチ１Ａにおいては、導電体の糸材３ｃの径を、絶縁体の糸材３ｄの径よりも太くし、これにより、外部負荷３０が作用するとき、導電体の糸材３ｃ間の接触によるオン動作をし易くし、スイッチ感度を高めている。
【００２４】
図４は、別の変形例の長尺スイッチ１Ｂの断面構造を示すものであり、このス長尺スイッチ１Ｂは、図３に示す長尺スイッチ１Ａの構成において、絶縁体の糸材３ｄの内、特定の導電体の糸材３ｃの近傍に位置するもの（図４においてクロス斜線を付して示す）を例えば赤色の色付きとしたものである。
【００２５】
この長尺スイッチ１Ｂを用いた場合には、特定の導電体の糸材３ｃの近傍に位置する絶縁体の糸材３ｄを色付きとしているので、導電体の糸材３ｃ、すなわち、電極の位置を分かり易くすることができる。
【産業上の利用可能性】
【００２６】
本発明は、電車車両の扉における異物検出スイッチ、建造物の出入扉における異物検出スイッチ等として幅広く適用可能である。
【図面の簡単な説明】
【００２７】
【図１】本発明の実施例に係る長尺スイッチのスイッチ本体を示す斜視図である。
【図２】本発明の実施例に係る長尺スイッチのスイッチ本体における一部の展開状態を示す平面図である。
【図３】本発明の実施例に係る長尺スイッチにおけるスイッチ本体の変形例を示す概略断面図である。
【図４】本発明の実施例に係る長尺スイッチにおけるスイッチ本体の別の変形例を示す概略断面図である。
【図５】従来の長尺スイッチの一例を示す断面図である。
【図６】従来の長尺スイッチの他例を示す断面図である。
【図７】従来の平織り構造の長尺スイッチを示す概略斜視図である。
【符号の説明】
【００２８】
１    長尺スイッチ
１Ａ  長尺スイッチ
１Ｂ  長尺スイッチ
３    糸材
３ａ、３ｂ    糸材
３ｃ  糸材
３ｄ  糸材
２０    スイッチ信号処理部
２１、２２    導線
３０    外部負荷
【図１】
0004990568.tif 000002
【図２】
0004990568.tif 000003
【図３】
0004990568.tif 000004
【図４】
0004990568.tif 000005
【図５】
0004990568.tif 000006
【図６】
0004990568.tif 000007
【図７】
0004990568.tif 000008